(57)【要約】【課題】低コストでありながら多種の記録材料に対して適用可能な被搬送物識別装置を提供することを目的とする。【解決手段】被搬送物識別装置２６０に備えられる検出機構は、記録材料Ｐおよび合紙Ｓを吸着保持する吸着パッド２５１と、一端に検出子２６４ａが形成され、レバー回転軸２６５を中心として揺動するレバー２６４と、検出子２６４ａが吸着パッド２５１の反対側に移動するようにレバー２６４を付勢するバネ２６３と、レバー２６４の揺動によりオン／オフが切り替えられるマイクロスイッチ２６１と、マイクロスイッチ２６１を吸着保持部材２５０に固定するマイクロスイッチ取付板２６２とを備える。検出子２６４ａは、吸着パッド２５１により吸着される記録材料Ｐまたは合紙Ｓの吸着面に対し吸着パッド２５１側と吸着パッド２５１の反対側とに亘って移動可能となっている。【選択図】        図１０
2004331371.tif 000002
【特許請求の範囲】
【請求項１】
カセット内に収容された被搬送物としての記録材料および合紙の一端を吸着部材により吸着保持して所定位置へ搬送する記録材料供給装置において、被搬送物が記録材料であるか合紙であるかを識別する被搬送物識別装置であって、
前記吸着部材により吸着される被搬送物の吸着面と略同一平面に被搬送物があるか否かを検出する検出機構を備えることを特徴とする被搬送物識別装置。
【請求項２】
請求項１に記載の被搬送物識別装置において、
前記検出機構は、その一端に被搬送物と当接可能な検出子を備えるとともに、前記吸着部材により吸着される被搬送物の吸着面に対し前記吸着部材側と前記吸着部材の反対側とに亘って前記検出子が移動するように、所定の軸を中心として揺動可能なレバーと、
前記検出子が前記吸着部材の反対側に移動する方向に前記レバーを付勢するバネと、
を備える被搬送物識別装置。
【請求項３】
請求項１または請求項２に記載の被搬送物識別装置において、
前記検出機構は、前記レバーの揺動によりオン／オフが切り換えられるマイクロスイッチを備える被搬送物識別装置。
【請求項４】
請求項３に記載の被搬送物識別装置において、
前記検出機構は、前記レバーのマイクロスイッチ側への揺動量を規制するストッパーを備える被搬送物識別装置。
【発明の詳細な説明】
【０００１】
【発明の属する技術分野】
この発明は、吸着保持することにより記録材料を所定位置に供給するための記録材料供給装置において、記録材料と合紙とを識別する被搬送物識別装置に関する。
【０００２】
【従来の技術】
印刷版等の記録材料は、その記録面の損傷を防止するため、記録材料と合紙と呼称される保護用の紙とが交互に積層された状態でその搬送が行われ、記録材料と合紙とが交互に積層されたままカセット内に収納される。そして、カセット内の記録材料は吸盤等の吸着部材によりその一端を吸着保持された状態で画像記録装置に搬送される。一方、合紙は、吸着部材によりその一端を吸着保持された状態で合紙回収部に排出される。このため、吸着部材に吸着保持されている被搬送物が記録材料であるか合紙であるかを識別する必要がある。
【０００３】
記録材料と合紙とを識別する装置としては、特許文献１に記載された装置が知られている。この装置は、金属素材の記録材料と非金属材料の合紙とを収納するカセットと、金属センサと、カセットから取り出されたものが記録材料であるか合紙であるかにより経路を切り換える切り換えガイドとを備える。この金属センサは、カセットから取り出される記録材料および合紙を検査して、金属素材を検知する。金属センサが金属素材を検知した場合、切り換えガイドを移動させ記録材料を搬送する経路を形成する。一方、金属センサが金属材料を検知しない場合、切り換えガイドを移動させ、合紙を搬送する経路を形成する。
【０００４】
【特許文献１】特開平１０−２５４１４４
【０００５】
【発明が解決しようとする課題】
しかしながら、特許文献１に記載された装置の利用は、記録材料に金属素材を含むものを使用する場合に限定される。このため、樹脂等をベースとした記録材料を使用する場合には、特許文献１に記載された装置を使用することはできない。また、このような装置に適用される金属センサは高価であり、装置の製造コストを上昇させることにもなる。
【０００６】
この発明は、上記の課題を解決するためになされたものであり、低コストでありながら多種の記録材料に対して適用可能な被搬送物識別装置を提供することを目的とする。
【０００７】
【課題を解決するための手段】
請求項１に記載の発明は、カセット内に収容された被搬送物としての記録材料および合紙の一端を吸着部材により吸着保持して所定位置へ搬送する記録材料供給装置において、被搬送物が記録材料であるか合紙であるかを識別する被搬送物識別装置であって、前記吸着部材により吸着される被搬送物の吸着面と略同一平面に被搬送物があるか否かを検出する検出機構を備えることを特徴とする。
【０００８】
請求項２に記載の発明は、請求項１に記載の被搬送物識別装置において、前記検出機構は、その一端に被搬送物と当接可能な検出子を備えるとともに、前記吸着部材により吸着される被搬送物の吸着面に対し前記吸着部材側と前記吸着部材の反対側とに亘って前記検出子が移動するように、所定の軸を中心として揺動可能なレバーと、前記検出子が前記吸着部材の反対側に移動する方向に前記レバーを付勢するバネとを備える。
【０００９】
請求項３に記載の発明は、請求項１または請求項２に記載の被搬送物識別装置において、前記検出機構は、前記レバーの揺動によりオン／オフが切り換えられるマイクロスイッチを備える。
【００１０】
請求項４に記載の発明は、請求項３に記載の被搬送物識別装置において、前記検出機構は、前記レバーのマイクロスイッチ側への揺動量を規制するストッパーを備える。
【００１１】
【発明の実施の形態】
以下、この発明の実施の形態について図面に基づいて説明する。図１は、この発明に係る被搬送物識別装置２６０を備えた記録材料供給装置３０を適用する自動露光装置を示す説明図である。
【００１２】
この自動露光装置は、記録材料Ｐを露光する露光装置１０と、後に詳細に説明する記録材料供給装置３０と、記録材料供給装置３０により供給された記録材料Ｐを露光位置へと移動させる移動装置２０とを備える。
【００１３】
移動装置２０は、移動レール２２上を紙面垂直方向に移動するテーブル２１を備える。記録材料供給装置３０によりこのテーブル２１上に搬送された記録材料Ｐは、図示しない位置決め装置により位置決めされた後、図示しない真空ポンプによりテーブル２１上に吸着保持される。このようにしてテーブル２１上に吸着保持された記録材料Ｐは、テーブル２１の移動に伴い露光装置１０と対向する位置に移動し、露光装置１０により露光される。
【００１４】
図２は記録材料供給装置３０を示す正面図であり、図３は記録材料供給装置３０を示す側断面図である。
【００１５】
記録材料供給装置３０は、記録材料Ｐを収納する収納ユニット１００と、記録材料Ｐを収納ユニット１００より取り出し搬送する吸着搬送装置２００とを備える。図１に示されるように、吸着搬送装置２００の初期位置における下端は、収納ユニット１００の上端よりも上方に配置される。このため、吸着搬送装置２００を移動させることなく、収納ユニット１００を図１における二点鎖線の位置より実線の位置へ移動させることができる。
【００１６】
収納ユニット１００は、本体１１０と、記録材料Ｐと合紙Ｓとを交互に積層した状態で収納し、本体１１０上に傾斜して配置されるカセット１２０とを備える。この本体１１０は、その下部に４個のローラ１１１を備え、その内部に合紙回収部１１２を備える。また、カセット１２０には、記録材料Ｐが外部の光により感光しないようにシャッター１２１が設けられており、カセット１２０の前面に形成された開口部を閉鎖可能な構成となっている。そして、吸着搬送装置２００により、記録材料Ｐまたは合紙Ｓをカセット１２０から取り出すときには、主ローラ１２３ａの回転により、主ローラ１２３ａおよび副ローラ１２３ｂの周りに巻回されたシャッターガイド１２２を回動させることにより、シャッター１２１を移動させ、カセット１２０の前面に形成された開口部を開放する。
【００１７】
吸着搬送装置２００は、記録材料搬送装置３０の側板２０１に回転可能に取り付けられる第１回転軸２１０と、曲線状の案内面を備えた第１ガイド２７０および第２ガイド２８０と、第１回転軸２１０周りに回転する第１アーム２３０と、第１アーム２３０に回転可能に取り付けられる第２回転軸２２０と、第２回転軸２２０周りに回転する第２アーム２４０と、第２回転軸２２０に取り付けられ、第２アーム２４０の回転に伴って回転する吸着保持部材２５０と、吸着保持部材２５０により搬送された記録材料Ｐまたは合紙Ｓを把持搬送する第１搬送ローラ対３１０と、記録材料Ｐが第１搬送ローラ対３１０へ搬送された場合と、合紙Ｓが第１搬送ローラ対３１０へ搬送された場合とで経路を切り替える第１搬送ガイド３３０と、第１搬送ガイド３３０を経た記録材料Ｐを移動装置２０へ搬送する第２搬送ローラ対３２０と、第１搬送ガイド３３０を経た合紙Ｓを合紙回収部１１２へ案内する第２搬送ガイド３４０とを備える。
【００１８】
なお、図２に示すように、第１回転軸２１０は、その端部に第２ギヤ２１３を備える。この第２ギヤ２１３は、モータ２１１の駆動により回転する第１ギヤ２１２に組み合わされる。これにより、第１回転軸２１０はモータ２１１の駆動に伴って回転する。
【００１９】
また、第２アーム２４０の基端部には、カムフォロワ２４１が配設されている。このカムフォロワ２４１は、第１ガイド２７０と第２ガイド２８０とによりその位置を規制される。カムフォロワ２４１は、第１アーム２３０が回転すると、第１回転軸２１０との距離を一定に保ったまま、第２アーム２４０を第１アーム２３０に対して第２回転軸２２０を中心に回転させる。
【００２０】
このように、第１ガイド２７０および第２ガイド２８０と協働することにより、第１アーム２３０に対する第２アーム２４０の角度を第１アーム２３０の角度位置に応じて変更させながら、第２回転軸２２０および第２アーム２４０を移動させることができる。なお、この第２ガイド２８０は、カムフォロワ２４１が第１回転軸２１０よりも上方に位置するときに、カムフォロワ２４１の移動を案内するためのものである。
【００２１】
すなわち、カムフォロワ２４１の上方への移動に伴う第２アーム２４０および吸着保持部材２５０の移動により、吸着保持部材２５０の重心位置が第２アーム２４０における第２回転軸２２０周りに変化し、第２アーム２４０が第２回転軸２２０を中心に反時計周りに回転することを防止するために、第２ガイド２８０が設置される。
【００２２】
また、第１ガイド２７０の両端部には、ストッパー２７１が形成される。このストッパー２７１により、カムフォロワ２４１が第１ガイド２７０に規制される範囲を超えて移動することを防止することができる。
【００２３】
また、第２回転軸２２０には、吸着保持部材２５０が固定される。このため、上述のように第２回転軸２２０の角度および位置が変化すると、それに伴って吸着保持部材２５０の角度および位置が変化する。なお、この吸着保持部材２５０は、カセット１２０内に積層される記録材料Ｐおよび合紙Ｓの幅方向に並列する５個の吸着パッド２５１を備える。吸着パッド２５１は、それぞれ図示しない真空ポンプと連通する状態と連通しない状態とに切り替えることができる電磁開閉弁に接続されている。
【００２４】
そして、吸着パッド２５１の先端が記録材料Ｐまたは合紙Ｓに近づくと、吸着パッド２５１が真空ポンプと連通する状態に切り替えられる。そして、吸着パッド２５１は、カセット１２０内の最上面に積層される記録材料Ｐまたは合紙Ｓを吸着保持する。このような吸着保持部材２５０の構成により、記録材料Ｐおよび合紙Ｓをカセット１２０から取り出し、第１搬送ローラ対３１０へ搬送することができる。
【００２５】
また、第１搬送ローラ対３１０は、固定ローラ３１１と移動ローラ３１２とを備える。移動ローラ３１２は、アーム軸３１２ｂの周りを回転可能なローラアーム３１２ａに支持されている。このため、記録材料Ｐまたは合紙Ｓが吸着パッド２５１に吸着され、その先端が固定ローラ３１１上に搬送されると、ローラ３１２が固定ローラ３１１の上面に接する位置までローラアーム３１２ａがアーム軸３１２ｂ周りに回転し、搬送された記録材料Ｐまたは合紙Ｓを固定ローラ３１１と移動ローラ３１２との間に把持することができる。
【００２６】
さらに、第１搬送ガイド３３０は、ガイド板３３１と、ガイド板傾動軸３３２とにより構成される。このガイド板３３１は、図示しないソレノイドの作用により、ガイド板傾動軸３３２を中心として、図３において実線で示す傾斜位置と二点鎖線で示す水平位置との間を回転可能となっている。
【００２７】
図４乃至図７は、吸着搬送装置２００によりカセット１２０より記録材料Ｐを吸着搬送する搬送動作を示す説明図である。
【００２８】
カセット１２０より記録材料Ｐを吸着搬送するためには、まず図４に示すように、吸着パッド２５１の先端がカセット１２０内の記録材料Ｐの表面と接する位置まで、第１回転軸２１０の回転を回転させる。そして、記録材料Ｐは、真空ポンプと連通する状態に切り替えられた吸着パッド２５１によりを吸着保持される。
【００２９】
記録材料Ｐが吸着パッド２５１により吸着保持されると、第１アーム２３０が第１回転軸２１０の回転により逆方向に回転し、第２アーム２４０の基端部に配設されるカムフォロワ２４１が第１搬送ガイド２７０に沿って移動する。これにより、第２アーム２４０および第２回転軸２２０は、第１アーム２３０に対する角度を変化させながら移動する。
【００３０】
この移動動作に伴って、第２回転軸２２０に固定される吸着パッド２５１を備える吸着保持部材２５０が移動する。このため、吸着パッド２５１により吸着保持された記録材料Ｐは、図５に示すように、吸着パッド２５１の移動に従って、カセット１２０より取り出され、第１搬送ローラ対３１０に向けて搬送される。
【００３１】
なお、カセット１２０より記録材料Ｐが取り出された場合には、被搬送物識別装置２６０がこれを検出し、図示しない第１搬送ガイド３３０の駆動源としてのソレノイドへ信号が送られる。このソレノイドの作用により、第１搬送ガイド３３０におけるガイド板３３１は、図３において実線で示す傾斜位置から二点鎖線で示す水平位置へ、ガイド板傾動軸３３２を中心として回転する。
【００３２】
その後、さらに第１回転軸２１０が回転し、図６に示すように、記録材料Ｐの先端が、第１搬送ローラ対３１０における固定ローラ３１１上に搬送される。ここで、第２アーム２４０、吸着保持部材２５０、および、第２回転軸２２０の第１アーム２３０に対する角度変化や記録材料Ｐの重量等の影響により、第２回転軸２２０周りに紙面上反時計方向に回転しようとする力が生ずる場合がある。この実施形態においては、第２ガイド２８０により、このような力による第２アーム２４０、吸着保持部材２５０、および、第２回転軸２２０の回転を防止している。
【００３３】
なお、第１ガイド２７０には、その端部にストッパー２７１が形成される。ストッパー２７１によりカムフォロワ２４１の移動が規制され、カムフォロワ２４１が第１ガイド２７０に対応する位置を超えて移動することはない。
【００３４】
また、吸着保持部材２５０には、規制部材２９０が取り付けられており、この規制部材２９０は、記録材料Ｐの吸着位置から先端における平面が吸着パッド２５１に対して一定以上傾くことがないように、記録材料Ｐを規制している。このため、記録材料Ｐは、吸着パッド２５１から脱落し難くなるとともに、固定ローラ３１１の上面の位置に合わせて搬送されることが可能となる。
【００３５】
記録材料Ｐが固定ローラ３１１上に搬送されると、図７に示すように、移動ローラ３１２が、ローラ軸３１２ｂを中心にしてローラアームａの回転により、固定ローラ３１１と接する位置に移動する。そして、搬送された記録材料Ｐは、固定ローラ３１１と移動ローラ３１２により把持される。
【００３６】
その後、記録材料Ｐを吸着保持する吸着パッド２５１は、真空ポンプと連通されない状態に切り替えられ、記録材料Ｐは吸着パッド２５１から開放される。そして、第１搬送ローラ対３１０に把持された記録材料Ｐは、固定ローラ３１１の回転により、第１搬送ガイド３３０におけるガイド板３３１の記録材料ガイド面３３１ａに沿って搬送され、第２搬送ローラ対３２０を介して移動装置２０へ搬送される。
【００３７】
なお、図２に示すように、第１回転軸２１０は、カセット１２０内の記録材料Ｐの幅方向全域に延設されている。このため、第１回転軸２１０は、記録材料Ｐにおける吸着パッド２５１により吸着された面と逆側の面に当接し、記録材料Ｐに損傷を与えることなく記録材料Ｐを案内することができる。
【００３８】
図８および図９は、記録材料搬送装置２００によりカセット１２０より合紙Ｓを吸着搬送するときの搬送動作を示す説明図である。
【００３９】
図８に示すように、合紙Ｓもまた、上述した記録材料Ｐと同様にして、固定ローラ３１１上に搬送される。
【００４０】
合紙Ｓが固定ローラ３１１上に搬送されると、図９に示すように、移動ローラ３１２が、ローラアーム３１２ａの回転により、ローラ軸３１２ｂを中心にして固定ローラ３１１と接する位置に移動する。そして、搬送された合紙Ｓは、固定ローラ３１１と移動ローラ３１２により把持される。その後、合紙Ｓを吸着保持する吸着パッド２５１は、真空ポンプと連通されない状態に切り替えられ、合紙Ｓは吸着パッド２５１から開放される。
【００４１】
なお、カセット１２０より合紙Ｓが取り出された場合には、被搬送物識別装置２６０（図２参照）がこれを検出する。そして、第１搬送ガイド３３０の駆動源としてのソレノイドへ信号が送られ、第１搬送ガイドは、図３において実線で示す傾斜位置に配置される。
【００４２】
このため、第１搬送ローラ対３１０に把持された合紙Ｓは、固定ローラ３１１の回転により、第１搬送ガイド３３０におけるガイド板３３１の合紙ガイド面３３１ｂに案内され、第２搬送ガイド３４０に沿って合紙回収部１１２内へ送られる。
【００４３】
次に、この発明に係る被搬送物識別装置２６０の構成について説明する。図１０はこの発明に係る被搬送物識別装置２６０を示す正面図であり、図１１はその側面図である。
【００４４】
図１０および図１１に示すように、被搬送物識別装置２６０は、吸着パッド２５１により吸着される記録材料Ｐまたは合紙Ｓの吸着面と略同一平面にその記録材料Ｐまたは合紙Ｓがあるか否かを検出する検出機構を備える。
【００４５】
この検出機構は、記録材料Ｐおよび合紙Ｓの先端を吸着保持するための吸着パッド２５１を備える。また、検出機構はレバー回転軸２６５を中心として揺動するレバー２６４を備える。レバー２６４の一端には、検出子２６４ａが形成されている。レバー２６４がレバー回転軸２６５を中心に揺動することにより、検出子２６４ａは、吸着パッド２５１により吸着される記録材料Ｐまたは合紙Ｓの吸着面に対し吸着パッド２５１側と吸着パッド２５１の反対側とに亘って移動可能となっている。レバー２６４の他端には、吸着保持部材２５０に取り付けられたバネ２６３と結合するバネ取付部２６４ｂが形成される。そして、バネ２６３は検出子２６４ａが吸着パッド２５１の反対側に移動するようにレバー２６４を付勢する。
【００４６】
さらに、検出機構は、マイクロスイッチ２６１と、マイクロスイッチ２６１を吸着保持部材２５０に固定するマイクロスイッチ取付板２６２とを備える。マイクロスイッチ２６１は、レバー２６４の揺動によりオン／オフが切り替えられ、第１搬送ガイド３３０の駆動源としてのソレノイドへの信号を送信する。なお、前記レバー回転軸２６５は、このマイクロスイッチ取付版２６２に固定されている。
【００４７】
このため、被搬送物識別装置２６０は、その検出子２６４ａにバネ２６３および板バネ２６１ｂの付勢力に抗した力が加えられると、板バネ２６１ｂが押しボタン２６１ａを押圧し、マイクロスイッチ２６１がオフからオンに切り替えられる。
【００４８】
なお、マイクロスイッチ取付版２６２には、レバー２６４のマイクロスイッチ２６１側への揺動量を規制するストッパー２６２ａが形成される。このストッパー２６２ａにより、レバー２６４は、マイクロスイッチ２６１における板バネ２６１ｂおよび押しボタン２６１ａを押圧するために必要な揺動量以上の揺動を規制され、マイクロスイッチ２６１に不必要な押圧力がかけられることがない。このため、マイクロスイッチ２６１の寿命を長期化させることができる。
【００４９】
図１２は、この発明に係る被搬送物識別装置２６０の吸着パッド２５１により記録材料Ｐが吸着された状態を示す正面図であり、図１３はその側面図である。
【００５０】
これらの図に示すように、記録材料Ｐが吸着パッド２５１に吸着された場合には、記録材料Ｐは、その剛性により検出子２６４ａを、記録材料Ｐの吸着面に対し吸着パッド２５１側へ押圧する。検出子２６４ａが押圧されると、レバー２６４がバネ２６３および板バネ２６１ｂの付勢力に抗してレバー回転軸２６５周りに回転する。このレバー２６４の回転により、板バネ２６１ｂが押しボタン２６１ａを押圧し、マイクロスイッチ２６１がオフからオンに切り替えられる。
【００５１】
そして、マイクロスイッチ２６１は、第１搬送ガイド３３０の駆動源としてのソレノイドへ信号を送信し、このソレノイドの作用により、第１搬送ガイド３３０におけるガイド板３３１は、図３において実線で示す傾斜位置から二点鎖線で示す水平位置へ、ガイド板傾動軸３３２を中心として回転する。このようにして、記録材料Ｐは、第１搬送ガイド３３０におけるガイド板３３１の記録材料ガイド面３３１ａに沿って搬送され、第２搬送ローラ対３２０を介して移動装置２０へ搬送される。
【００５２】
また、図１４は、この発明に係る被搬送物識別装置２６０の吸着パッド２５１により合紙Ｓが吸着された状態を示す正面図であり、図１５はその側面図である。
【００５３】
一方、これらの図に示すように、合紙Ｓが吸着パッドに吸着された場合、合紙Ｓは、その軟性により検出子２６４ａと当接しても、検出子２６４ａをレバー２６４がバネ２６３および板バネ２６１ｂの付勢力に抗して合紙Ｓの吸着面に対し吸着パッド２５１側へ押圧することはない。このため、マイクロスイッチ２６１から第１搬送ガイド３３０の駆動源としてのソレノイドへ信号が送られ、第１搬送ガイドは、図３において実線で示す傾斜位置に回転する。
【００５４】
従って、合紙Ｓは、第１搬送ガイド３３０におけるガイド板３３１の合紙ガイド面３３１ｂに案内され、第２搬送ガイド３４０に沿って合紙回収部１１２内へ送られる。
【００５５】
【発明の効果】
請求項１乃至請求項３に記載の発明によれば、吸着部材により吸着される被搬送物の吸着面と略同一平面に被搬送物があるか否かを検出する検出機構を備えることから、低コストでありながら多種の記録材料に対して適用可能な被搬送物識別装置を提供することが可能となる。
【００５６】
請求項４に記載の発明によれば、検出機構は、レバーのマイクロスイッチ側への揺動量を規制するストッパーを備えることから、マイクロスイッチの寿命を長期化させることが可能となる。
【図面の簡単な説明】
【図１】この発明に係る被搬送物識別装置２６０を備えた記録材料供給装置３０を適用する自動露光装置を示す説明図である。
【図２】記録材料供給装置３０を示す正面図である。
【図３】記録材料供給装置３０を示す側断面図である。
【図４】吸着搬送装置２００によりカセット１２０より記録材料Ｐを吸着搬送する搬送動作を示す説明図である。
【図５】吸着搬送装置２００によりカセット１２０より記録材料Ｐを吸着搬送する搬送動作を示す説明図である。
【図６】吸着搬送装置２００によりカセット１２０より記録材料Ｐを吸着搬送する搬送動作を示す説明図である。
【図７】吸着搬送装置２００によりカセット１２０より記録材料Ｐを吸着搬送する搬送動作を示す説明図である。
【図８】記録材料搬送装置２００によりカセット１２０より合紙Ｓを吸着搬送するときの搬送動作を示す説明図である。
【図９】記録材料搬送装置２００によりカセット１２０より合紙Ｓを吸着搬送するときの搬送動作を示す説明図である。
【図１０】この発明に係る被搬送物識別装置２６０を示す正面図である。
【図１１】この発明に係る被搬送物識別装置２６０を示す側面図である。
【図１２】この発明に係る被搬送物識別装置２６０の吸着パッド２５１により記録材料Ｐが吸着された状態を示す正面図である。
【図１３】この発明に係る被搬送物識別装置２６０の吸着パッド２５１により記録材料Ｐが吸着された状態を示す側面図である。
【図１４】この発明に係る被搬送物識別装置２６０の吸着パッド２５１により合紙Ｓが吸着された状態を示す正面図である。
【図１５】この発明に係る被搬送物識別装置２６０の吸着パッド２５１により合紙Ｓが吸着された状態を示す側面図である。
【符号の説明】
１０      露光装置
２０      移動装置
３０      記録材料供給装置
１００    収容ユニット
１１０    本体
１１１    ローラ
１１２    合紙回収部
１２０    カセット
１２１    シャッター
１２２    シャッターガイド
１２３ａ  主ローラ
１２３ｂ  副ローラ
２００    吸着搬送装置
２０１    側板
２１０    第１回転軸
２１１    モータ
２１２    第１ギヤ
２１３    第２ギヤ
２２０    第２回転軸
２３０    第１アーム
２４０    第２アーム
２４１    カムフォロワ
２５０    吸着保持部材
２５１    吸着パッド
２６０    被搬送物識別装置
２６１    マイクロスイッチ
２６１ａ  押しボタン
２６１ｂ  板バネ
２６２    マイクロスイッチ取付版
２６２ａ  ストッパー
２６３    バネ
２６４    レバー
２６４ａ  検出子
２６４ｂ  バネ取付部
２６５    レバー回転軸
２７０    第１ガイド
２７１    ストッパー
２８０    第２ガイド
２９０    規制部材
３１０    第１搬送ローラ対
３１１    固定ローラ
３１２    移動ローラ
３１２ａ  ローラアーム
３１２ｂ  ローラ軸
３２０    第２搬送ローラ対
３３０    第１搬送ガイド
３３１    ガイド板
３３１ａ  記録材料ガイド面
３３１ｂ  合紙ガイド面
３３２    ガイド板傾斜軸
３４０    第２搬送ガイド
【図１】
2004331371.tif 000003
【図２】
2004331371.tif 000004
【図３】
2004331371.tif 000005
【図４】
2004331371.tif 000006
【図５】
2004331371.tif 000007
【図６】
2004331371.tif 000008
【図７】
2004331371.tif 000009
【図８】
2004331371.tif 000010
【図９】
2004331371.tif 000011
【図１０】
2004331371.tif 000012
【図１１】
2004331371.tif 000013
【図１２】
2004331371.tif 000014
【図１３】
2004331371.tif 000015
【図１４】
2004331371.tif 000016
【図１５】
2004331371.tif 000017